(57)【要約】【課題】ケースにストレスが加わり難く、且つ当て木を必要としない住宅用分電盤を提供する。【解決手段】分電盤ケース１の段部６に補強金具２０を取り付け、段部６と挟持片９とで壁面を挟持する連結金具３を補強金具２０を介してケース１に取付けた。補強金具２０はケース１に設けられている補強リブ２６の基部にねじ止め固定され、連結金具３は壁面を挟持する板状の挟持片９と挟持片９の移動を案内する案内金具８及び挟持片９を移動操作する操作ねじ１１を備え、挟持片９をケース側板５から外部へ突出させて、段部６と挟持片９とで壁面を挟持した。【選択図】　図２
2004007863.tif 000002
【特許請求の範囲】
【請求項１】
分電盤機器を収納するケース周囲に埋込み代が設けられ、該埋込み代から背部を取付対象の壁面に埋設して取付ける住宅用分電盤において、前記埋込み代を補強する補強金具と、埋込み代に装着して前記ケースを壁面に連結する連結金具とを備え、該連結金具はケース外部に突出して壁面を挟持する挟持片と、該挟持片を案内する案内部及び埋込み代に連結する連結部を有する案内金具と、前記挟持片を挟持操作する操作ねじとを有し、
前記案内金具を、前記補強金具を介して埋込み代に連結し、前記操作ねじを操作してケース外部へ突出させた挟持片と前記埋込み代とで壁面を挟持させ、壁面に取付けることを特徴とする住宅用分電盤。
【請求項２】
補強金具は埋込み代にねじ止め固定され、前記埋込み代に設けたねじ孔の近傍にケースの側板から底板にかけてケースを補強するための補強リブを設けた請求項１記載の住宅用分電盤。
【請求項３】
埋込み代に補強金具を保持する保持手段を設け、該保持手段による保持動作と１つのねじで補強金具をケースに組付ける請求項１又は２記載の住宅用分電盤。
【発明の詳細な説明】
【０００１】
【発明の属する技術分野】
本発明は、住宅やアパート等に使用される住宅用分電盤に関し、特に背部を壁面に埋め込んで取付ける住宅用分電盤の取付構造の改良に関する。
【０００２】
【従来の技術】
住宅用分電盤は、背部を壁面に埋め込んで前方への突出量を減らした半埋め込み構造が広く採用されている。このような分電盤は図３，図４に示すような固定形態で壁面に固定されたり、壁面に直接ネジ止めして固定されている。
図３は分電盤のケース底部３１に連結金具装着用の開口部３２を設けて、連結金具３３をネジ止めし、この連結金具３３で壁面３４の開口端部３４ａを挟持して連結している。
また図４は、分電盤ケースの側板３６に周設された段部３７に連結金具装着用の開口部３８を設けて、連結金具３３をネジ止めし、この連結金具３３で壁面３４の開口端部３４ａを挟持して連結している。
【０００３】
【発明が解決しようとする課題】
しかし、分電盤ケースは合成樹脂で形成されているため、上述するような連結金具３３を用いた挟持形態の場合、ケースの連結金具装着部がストレスにより割れてしまう場合があった。また、直接ネジ止めする形態は、壁面の強度を上げる必要があり、壁面の裏側にあて木を設けなければ成らず、あて木の装着が面倒であった。
そこで、本発明は上記問題点に鑑み、分電盤ケースにストレスが加わり難く、且つあて木を必要としない取付け構造を有する住宅用分電盤を提供することを目的とする。
【０００４】
【課題を解決するための手段】
上記課題を解決するため、請求項１の発明は、分電盤機器を収納するケース周囲に埋込み代が設けられ、該埋込み代から背部を取付対象の壁面に埋設して取付ける住宅用分電盤において、前記埋込み代を補強する補強金具と、埋込み代に装着して前記ケースを壁面に連結する連結金具とを備え、該連結金具はケース外部に突出して壁面を挟持する挟持片と、該挟持片を案内する案内部及び埋込み代に連結する連結部を有する案内金具と、前記挟持片を挟持操作する操作ねじとを有し、前記案内金具を、前記補強金具を介して埋込み代に連結し、前記操作ねじを操作してケース外部へ突出させた挟持片と前記埋込み代とで壁面を挟持させ、壁面に取付けることを特徴とする。
【０００５】
請求項２の発明は、請求項１の発明において、補強金具は埋込み代にねじ止め固定され、前記埋込み代に設けたねじ孔の近傍にケースの側板から底板にかけてケースを補強するための補強リブを設けたことを特徴とする。
【０００６】
請求項３の発明は、請求項１又は２の発明において、埋込み代に補強金具を保持する保持手段を設け、該保持手段による保持動作と１つのねじで補強金具をケースに組付けることを特徴とする。
【０００７】
【発明の実施の形態】
以下、本発明を具体化した実施の形態を、図面に基づいて詳細に説明する。図１は本発明に係る住宅用分電盤の要部斜視図を示し、１は住宅用分電盤のケースの一部、２は住宅用分電盤取付け対象の壁面、３は連結金具である。
ケース１は、合成樹脂で形成され、機器を組付ける底板４と側板５とから機器収納空間を形成し、前面が開放されて略四角形に形成されている。そして、側板５は途中に埋込み代としての段部６が設けられて上側板５ａと下側板５ｂと２段に形成され、下側板５ｂはケース１を壁面に装着した際に壁面内に埋設される。尚、ケース１の前面開口部は別途設けた蓋体により閉塞される。
【０００８】
連結金具３は図２（ａ）の分解斜視図に示すよう構成され、８は案内金具、９は挟持片である。案内金具８はＬ字状に折曲げ形成され、その一方の片はケース１への連結部が形成された連結部８ａであり、２つのねじ挿通孔１０ａ，１０ｂが形成されている。そのうちの一方の折曲げ部近傍に設けたねじ挿通孔１０ａは挟持片９を操作する操作ねじ１１の挿通孔で、他方のねじ挿通孔１０ｂはケース１にねじ止めするための固定ねじ１２の挿通孔である。そして、他方の片は挟持片９を案内する案内部８ｂであり、四角形状の案内孔１４が穿設されている。
挟持片９は板状に形成され、一端に左右両端が切り欠かれてくびれ部１６が形成され、案内金具８の案内孔１４に係合する係合部が形成されている。また、他端には係止爪１７が形成されて壁面２を挟持する挟持部が形成されている。更に、くびれ部１６付近には操作ねじ１１を螺入するねじ孔１８が形成されている。
【０００９】
図２（ｂ）は上記連結金具３をケース１へ取付ける様子を示している。図において、２０は補強金具であり、連結金具３は補強金具２０を介してケース１に装着される。
補強金具２０は、ねじを挿通する２つのねじ挿通孔２１ａ，２１ｂと、ケース１の段部６に設けた保持手段としての位置決めボス２２を挿入係止する係止孔２３を有し、連結金具３を取付けるためのねじ挿通孔２１ａが略中央に形成され、補強金具２０を固定するためのねじ挿通孔２１ｂは端部に形成されている。また、段部６には補強金具固定のためのねじ孔２５ａが筒状の突起体２５を設けて形成され、この突起体２５はケース１内に設けたケースを補強するために側板３から底板４に渡り設けられている補強リブ２６の基部に形成されている。
更に、ケース１の連結金具３の取付部位に対応する下側板５ｂは開口可能なノックアウト壁面２７として形成され、連結金具３取付けの際に取り除いて開口部７（図１に示す。）を形成して挟持片９を突出可能となっている。
【００１０】
上記構成の連結金具の取付け及び操作手順を説明すると、先ず、段部６に補強金具２０をねじ２８で固定する。この際、まず位置決めボス２２に係止孔２３を合致させて補強金具２０の一端を位置決め保持する。続いて挟持片９のくびれ部１６を案内部８ｂに挿入して操作ねじ１１をねじ孔１８に螺入し、一体化した連結金具３を固定ねじ１２で段部６に補強金具２０の上から固定する。このように装着した状態が図１に示す状態であり、挟持片９の挟持端部はケース側板５の開口部７から外方へ突出され、壁面２の開口端部２ａを段部６の裏面とで挟持することが可能となる。尚、挟持片９は操作ねじ１１の回転操作で上下動し、ねじ締め操作で壁面２の間で挟持動作をする。
【００１１】
このように、補強金具を介在させて連結金具をケースに装着するので、壁面を挟持する形態であっても挟持部のストレスによりケースが割れてしまうようなことがなく、逆にケースの構造を簡略化できる。また、補強リブ上で補強金具をねじ止めするので、堅牢なねじ止めができるし、分電盤取付後も十分な強度を発揮できる。
また、位置決めボスで位置決めすると共に補強金具の一端を保持するので補強金具の位置決めが容易であるし１本のねじで組付けでき、装着操作が簡易である。
【００１２】
尚、上記実施形態では、補強金具２０は一端をボスで位置決めして他端をねじ止めしているが、両端をねじ止めとしても良いし、逆に両端を単にケース側に設けたボスで保持するだけとしても良く、連結金具３のねじ止めにより補強金具も固定される。また、連結金具３は補強金具２０を介して段部にねじ止めされているが、必ずしもねじ止めする必要はなく、例えば補強金具に係止突起を設けると共に案内金具に係止凹部或いは孔を設けて係止させる構成としても良く、壁面を挟持操作した際に連結金具は段部に圧接されるので、連結金具は堅牢にケースに装着動作する。
更に、補強金具をねじ止めする突起体２５を補強リブ２６の基部に形成しているが、基部でなくとも補強リブ２６の近傍であれば、基部と同様な強度を得ることができる。
【００１３】
【発明の効果】
以上詳述したように、請求項１の発明によれば、補強金具を介在させて連結金具をケースに装着するので、壁板を挟持する形態であってもケースが割れてしまうようなことがない。また、補強金具を設けることで、分電盤ケースの構造を簡略化できる。
【００１４】
請求項２の発明によれば、請求項１の効果に加えて、補強リブ近傍で補強金具をねじ止めするので、堅牢なねじ止めができるし、分電盤取付後も十分な強度を発揮できる。
また、請求項３の発明によれば、請求項１又は２の効果に加えて、補強金具の位置決めが容易であるし１本のねじで組付けできるので、装着操作が簡易である。
【図面の簡単な説明】
【図１】本発明に係る住宅用分電盤の実施形態の１例を示し、分電盤ケースの部分斜視図である。
【図２】図１の分解図を示し、（ａ）は連結金具の分解図、（ｂ）は分電盤ケースに連結金具を取付ける様子を示している。
【図３】従来の住宅用分電盤の部分説明図であり、分電盤ケースを壁面に連結する様子を示している。
【図４】従来の住宅用分電盤の他の部分説明図である。
【符号の説明】
１・・住宅用分電盤のケース、２・・壁面、３・・連結金具、５・・側板、５ａ・・上側板、５ｂ・・下側板、６・・埋込み代としての段部、７・・開口部、８・・案内金具、８ａ・・連結部、８ｂ・・案内部、９・・挟持片、１１・・操作ねじ、１７・・係止爪、２０・・補強金具、２２・・保持手段としての位置決めボス、２５・・突起体、２６・・補強リブ。
【図１】
2004007863.tif 000003
【図２】
2004007863.tif 000004
【図３】
2004007863.tif 000005
【図４】
2004007863.tif 000006